(57)【要約】【課題】  複数のリード線と半田付け部との間で半田付け不良が発生するのを防ぐことができる電気機器を提供する。【解決手段】  キャップ部材７を第１及び第２の開口部２１ｂ，２１ｃに嵌合して、ケーブル５を、周壁部側圧縮壁部２９の第１の壁面２９ａと第１の一対の起立壁部４１の対向面４１ａとの間、周壁部側圧縮壁部２９の第２の壁面２９ｂとキャップ側圧縮壁部４５の第１の壁面４５ａとの間、周壁部側圧縮壁部２９の第３の壁面２９ｃとキャップ側圧縮壁部４５の第２の壁面４５ｂとの間に挟持して、クランク状に曲げた状態に変形する。これにより、ケーブル５にクランク状変形部５ｄを作る。周壁部側圧縮壁部２９とキャップ側圧縮壁部４５とによりクランク状変形部５ｄを挟む。【選択図】  図５
2010226943.tif 000002
【特許請求の範囲】
【請求項１】
複数本のリード線が束になって構成されたケーブルと、前記複数本のリード線の心線が半田付け接続される複数の電極を備えた半田付け部を備えた回路基板とからなる回路基板ユニットと、
前記複数の電極が形成された前記回路基板の一方の基板面と対向する対向壁部と、前記対向壁部と一体に設けられた前記回路基板の端面を囲む周壁部とを備え、前記対向壁部には前記半田付け部を露出させる第１の開口部が形成され、前記周壁部には前記第１の開口部と連続して形成されて前記ケーブルが延び出る第２の開口部が形成されたケースと、
前記ケーブルが前記第２の開口部から延び出るのを許容する形状を有して、前記第１の開口部及び第２の開口部に嵌合されるキャップ部材とを備え、
前記周壁部と前記キャップ部材の形状が、前記キャップ部材が前記第１及び第２の開口部に嵌合されたときに、前記ケーブルを前記周壁部と前記キャップ部材とにより前記ケーブルを挟むようにそれぞれ定められており、
前記周壁部と前記キャップ部材の形状が、前記キャップ部材が前記第１及び第２の開口部に嵌合されたときに、前記ケーブルをクランク状に曲げた状態に変形させてクランク状変形部を作り、且つ前記周壁部と前記キャップ部材とにより前記ケーブルのクランク状変形部を挟むようにそれぞれ定められており、
前記周壁部と前記キャップ部材の形状は、前記クランク状変形部の長手方向の両端部をそれぞれ圧縮した状態で挟む第１の圧縮構造部及び第２の圧縮構造部を形成するように定められており、
前記キャップ部材はキャップ側圧縮壁部を備え、前記周壁部は周壁部側圧縮壁部を備え、前記キャップ側圧縮壁部と前記周壁部側圧縮壁部は、前記クランク状変形部を間に挟み且つ前記クランク状変形部を圧縮するように対向し、
前記キャップ側圧縮壁部及び前記周壁部側圧縮壁部の少なくとも一方には、前記第１の圧縮構造部に隣接し且つ前記ケーブルの前記長手方向と直交する方向に並んで前記ケーブルを挟む第１の一対の起立壁部が一体に設けられ、また前記第２の圧縮構造部に隣接し且つ前記ケーブルの前記長手方向と直交する方向に並んで前記ケーブルを挟む第２の一対の起立壁部が一体に設けられていることを特徴とする電気機器。
【請求項２】
複数本のリード線が束になって構成されたケーブルと、前記複数本のリード線の心線が半田付け接続される複数の電極を備えた半田付け部を備えた回路基板とからなる回路基板ユニットと、
前記複数の電極が形成された前記回路基板の一方の基板面と対向する対向壁部と、前記対向壁部と一体に設けられた前記回路基板の端面を囲む周壁部とを備え、前記対向壁部には前記半田付け部を露出させる第１の開口部が形成され、前記周壁部には前記第１の開口部と連続して形成されて前記ケーブルが延び出る第２の開口部が形成されたケースと、
前記ケーブルが前記第２の開口部から延び出るのを許容する形状を有して、前記第１の開口部及び第２の開口部に嵌合されるキャップ部材とを備え、
前記周壁部と前記キャップ部材の形状が、前記キャップ部材が前記第１及び第２の開口部に嵌合されたときに、前記ケーブルを前記周壁部と前記キャップ部材とにより前記ケーブルを挟むようにそれぞれ定められていることを特徴とする電気機器。
【請求項３】
前記周壁部と前記キャップ部材の形状が、前記キャップ部材が前記第１及び第２の開口部に嵌合されたときに、前記ケーブルをクランク状に曲げた状態に変形させてクランク状変形部を作り、且つ前記周壁部と前記キャップ部材とにより前記ケーブルのクランク状変形部を挟むようにそれぞれ定められていることを特徴とする請求項２に記載の電気機器。
【請求項４】
前記周壁部と前記キャップ部材の形状は、前記クランク状変形部の長手方向の両端部をそれぞれ圧縮した状態で挟む第１の圧縮構造部及び第２の圧縮構造部を形成するように定められている請求項３に記載の電気機器。
【請求項５】
前記キャップ部材はキャップ側圧縮壁部を備え、前記周壁部は周壁部側圧縮壁部を備え、前記キャップ側圧縮壁部と前記周壁部側圧縮壁部は、前記クランク状変形部を間に挟み且つ前記クランク状変形部を圧縮するように対向し、
前記キャップ側圧縮壁部及び前記周壁部側圧縮壁部の少なくとも一方には、前記第１の圧縮構造部に隣接し且つ前記ケーブルの前記長手方向と直交する方向に並んで前記ケーブルを挟む第１の一対の起立壁部が一体に設けられ、また前記第２の圧縮構造部に隣接し且つ前記ケーブルの前記長手方向と直交する方向に並んで前記ケーブルを挟む第２の一対の起立壁部が一体に設けられている請求項４に記載の電気機器。
【請求項６】
前記キャップ部材は順に連続して環状に並ぶ第１乃至第４の端面を有する板状のキャップ本体と、対向する第１及び第３の端面の前記第２の端面寄りの端部から突出する一対の軸部と、前記第４の端面の中央部に一体に設けられたフック部材とを備えており、
前記ケースの前記周壁部には、前記第２の開口部に隣接して、前記一対の軸部を回転自在に支持する一対の軸受け部が形成されており、
前記ケースの前記対向壁部には、前記第１の開口部を囲む縁部に、前記キャップ部材の前記フック部材が係止される被係止部が形成されている請求項１または５に記載の電気機器。
【請求項７】
前記周壁部は、周壁本体と該周壁本体と一体に設けられて前記周壁本体から外側に延びる延伸部を備えており、
前記延伸部は、前記周壁部側圧縮壁部と一対の延伸壁とを備えており、前記一対の延伸壁は、前記周壁本体に隣接する前記周壁部側圧縮壁部の両端部から前記対向壁部と連続する位置まで延びており、
前記第２の開口部は前記周壁部側圧縮壁部と前記一対の延伸壁とにより囲まれて形成されている請求項６に記載の電気機器。
【請求項８】
前記一対の延伸壁には、前記周壁部側圧縮壁部とは反対側に位置し且つ前記周壁本体から外側に離れる外側方向に延びる突起部がそれぞれ一体に形成されており、
前記外側方向に位置する前記延伸壁の第１の端面部分と該第１の端面部分と連続する前記突起部の第２の端面部分とが、それぞれ前記軸部の外面と接触して前記軸部を支持する前記軸受け部を構成していることを特徴とする請求項７に記載の電気機器。
【請求項９】
前記周壁部側圧縮壁部は、前記外側方向に位置する端部に前記一対の延伸壁に沿って延びる立ち上がり部を備えており、
前記キャップ本体には、前記キャップ部材が前記第１及び第２の開口部に嵌合された状態で、前記キャップ本体から前記周壁部側圧縮壁部に向かって突出する１以上の突出部が形成されており、
前記１以上の突出部は、キャップ本体に第２開口部側に向かう方向に作用する外力が加わったときに、前記１以上の突出部の側面が前記周壁部側圧縮壁部の立ち上がり部の内壁面に当たって、キャップ部材が第１及び第２の開口部から脱落するのを防止するストッパとして機能する請求項８に記載の電気機器。
【請求項１０】
前記フック部材は、前記キャップ部材が前記第１及び第２の開口部に嵌合された状態で、外部から前記ケースの内部に押し下げる方向の力が加えられると、前記被係止部との係合が解除される構造を有しており、
前記フック部材の形状寸法は、先端部の幅寸法が８ｍｍ以下のマイナスドライバの前記先端部で押し下げることができるように定められている請求項６または８に記載の電気機器。
【発明の詳細な説明】
【技術分野】
【０００１】
本発明は、複数本のリード線の心線が半田付け接続される半田付け部を備えた回転電機、ファンモータ等の電気機器に関するものである。
【背景技術】
【０００２】
特開２００７−５３８４９号公報等には、モータ本体を支持するケースとモータ本体に形成された半田付け部とを備えたモータ（電気機器）が示されている。半田付け部には、複数本のリード線が束になって構成されたケーブルの複数のリード線が半田付け接続される。この種のモータのケースには、半田付け部を露出させて半田付け部への複数のリード線の接続を可能にする開口部が形成されている。そして、開口部は、キャップにより開閉されるようになっている。
【先行技術文献】
【特許文献】
【０００３】
【特許文献１】特開２００７−５３８４９号公報
【発明の概要】
【発明が解決しようとする課題】
【０００４】
しかしながら、従来の電気機器では、開口部をキャップで閉塞しても、リード線に力が加わると、複数のリード線の半田付け部で半田付け不良が発生しやすいという問題があった。
【０００５】
本発明の目的は、複数のリード線の半田付け部不良が発生し難い電気機器を提供することにある。
【０００６】
本発明の他の目的は、キャップをケースにしっかりと固定できる電気機器を提供することにある。
【課題を解決するための手段】
【０００７】
本発明の電気機器は、回路基板ユニットとケースとキャップ部材とを備えている。回路基板ユニットは、複数本のリード線が束になって構成されたケーブルと、複数本のリード線の心線が半田付け接続される複数の電極を備えた半田付け部を備えた回路基板とから構成される。ケースは、複数の電極が形成された回路基板の一方の基板面と対向する対向壁部と、対向壁部と一体に設けられた回路基板の端面を囲む周壁部とを備えている。対向壁部には半田付け部を露出させる第１の開口部が形成され、周壁部には第１の開口部と連続して形成されてケーブルが延び出る第２の開口部が形成されている。キャップ部材は、ケーブルが第２の開口部から延び出るのを許容する形状を有して、第１の開口部及び第２の開口部に嵌合される。周壁部とキャップ部材の形状は、キャップ部材が、第１及び第２の開口部に嵌合されたときに、周壁部とキャップ部材とによりケーブルを挟むようにそれぞれ定められている。具体的には、周壁部とキャップ部材の形状が、キャップ部材が第１及び第２の開口部に嵌合されたときに、ケーブルをクランク状に曲げた状態に変形させてクランク状変形部を作り、且つ周壁部とキャップ部材とによりケーブルのクランク状変形部を挟むようにそれぞれ定められている。
【０００８】
本発明のように、キャップ部材が第１及び第２の開口部に嵌合されたときに、ケーブルがクランク状に曲げられてクランク状変形部が作られ、周壁部とキャップ部材とによりクランク状変形部が挟まれると、ケーブルは周壁部とキャップ部材との間にしっかりと固定される。クランク状変形部は、抜け止め部を構成しており、ケーブルに引き抜き力が加わった場合でも、半田付け部に引き抜き力が加わって半田付け不良が発生するのを有効に防止することができる。
【０００９】
周壁部とキャップ部材の形状は、クランク状変形部の長手方向の両端部をそれぞれ圧縮した状態で挟む第１及び第２の圧縮構造部を形成するように定めるのが好ましい。このようにすれば、第１及び第２の圧縮構造部は、相互にずれた位置でケーブルを圧縮することになる。そのため、ケーブルが周壁部とキャップ部材との間に固定される力が強化され、ケーブルに基板収納ケースから引き抜こうとする力が加わっても、ケーブルがケースから抜け出るのを確実に防止できる。
【００１０】
キャップ部材はキャップ側圧縮壁部を備え、周壁部は周壁部側圧縮壁部を備えている。キャップ側圧縮壁部と周壁部側圧縮壁部は、クランク状変形部を間に挟み且つクランク変形部を圧縮するように対向する。キャップ側圧縮壁部及び周壁部側圧縮壁部の少なくとも一方には、第１及び第２の圧縮構造部に隣接し且つケーブルの長手方向と直交する方向に並んでケーブルを挟む第１及び第２の一対の起立壁部がそれぞれ一体に設けられるのが好ましい。このようにすれば、第１及び第２の圧縮構造部の位置において、キャップ側圧縮壁部及び周壁部側圧縮壁部が接触しないケーブルの側方部分を第１及び第２の一対の起立壁部によって挟むことができる。そのため、ケーブルの移動を抑制して、第１及び第２の圧縮構造部でのケーブルの圧縮をより効果的に行うことができる。
【００１１】
キャップ部材は順に連続して環状に並ぶ第１乃至第４の端面を有する板状のキャップ本体と、対向する第１及び第３の端面の第２の端面寄りの端部から突出する一対の軸部と、第４の端面の中央部に一体に設けられたフック部材とを備えることができる。また、ケースの周壁部には、第２の開口部に隣接して、一対の軸部を回転自在に支持する一対の軸受け部を形成し、ケースの対向壁部には、第１の開口部を囲む縁部に、キャップ部材のフック部材が係止される被係止部を形成することができる。このようにすれば、一対の軸部の回転によりキャップ部材による第１及び第２の開口部の開閉を容易に行うことができる。また、キャップ本体が第１及び第２の開口部を閉塞した際に、キャップ部材のフック部材がケースの被係止部に係止されることにより、キャップ部材をケースにしっかりと固定できる。
【００１２】
周壁部の一例は、周壁本体と該周壁本体と一体に設けられて周壁本体から外側に延びる延伸部を備えている。延伸部は、周壁部側圧縮壁部とこの周壁部側圧縮壁部の周壁本体と隣接する両端部から対向壁部と連続する位置まで延びる一対の延伸壁とを備えている。この場合、第２の開口部は、周壁部側圧縮壁部と一対の延伸壁とにより囲まれて形成されている。
【００１３】
一対の延伸壁には、周壁部側圧縮壁部とは反対側に位置し且つ周壁本体から外側に離れる外側方向に延びる突起部がそれぞれ一体に形成する。そして外側方向に位置する延伸壁の第１の端面部分と該第１の端面部分と連続する突起部の第２の端面部分とが、それぞれ軸部の外面と接触して軸部を支持する軸受け部を構成することができる。このようにすれば、一対の軸部を第１の端面部分と第２の端面部分とに接触させるだけで、取り外し可能なキャップ部材を容易にケースに取り付けることができる。
【００１４】
周壁部側圧縮壁部は、外側方向に位置する端部に一対の延伸壁に沿って延びる立ち上がり部を備えている。またキャップ本体には、キャップ部材が第１及び第２の開口部に嵌合された状態で、キャップ本体から周壁部側圧縮壁部に向かって突出する１以上の突出部が形成されている。そして１以上の突出部は、キャップ本体に第２開口部側に向かう方向に作用する外力が加わったときに、１以上の突出部の側面が周壁部側圧縮壁部の立ち上がり部の内壁面に当たって、キャップ部材が第１及び第２の開口部から脱落するのを防止するストッパとして機能する。その結果、一対の軸部が第１の端面部分から外れることが防止される。また周壁部側圧縮壁部とキャップ側圧縮壁部との間でケーブルが部分的に挟まれることで、圧縮されて発生するケーブルの弾性力によりキャップ部材一対の軸部が第１及び第２の端面部に押し付けられている。このようにすれば、一対の軸部が第１及び第２の端面部分に押圧されて、キャップ部材がケースにしっかりと取り付けられる。
【００１５】
フック部材は、キャップ部材が第１及び第２の開口部に嵌合された状態で、外部からケースの内部に押し下げる方向の力が加えられると、被係止部との係合が解除される構造を有しているのが好ましい。そしてこの場合、フック部材の形状寸法は、先端部の幅寸法が８ｍｍ以下のマイナスドライバの先端部で押し下げることができるように定める。このようにすると、意図的にマイナスドライバでフック部材を押し下げることをしない限り、フック部材が意図せずに被係合部から外れることを有効に防止できる。したがって信頼性と安全性とを高めることができる。
【図面の簡単な説明】
【００１６】
【図１】ファンモータに適用した本発明の一実施の形態の電気機器の斜視図である。
【図２】図１に示すファンモータにおける開口部を解放した状態の部分平面図である。
【図３】図１に示すファンモータにおける開口部をキャップで閉塞している状態の部分平面図である。
【図４】図１に示すファンモータにおける開口部をキャップで閉塞している状態を側面から見た部分拡大図である。
【図５】図３のＶ−Ｖ線断面図である。
【図６】図１に示すファンモータに用いるキャップ部材の斜視図である。
【図７】図１に示すファンモータのキャップをケースに取り付ける前の状態を示す部分平面図である。
【図８】キャップ部材の変形例を示す図である。
【図９】図８のキャップ部材を外す際に作業を説明するために用いる図である。
【発明を実施するための形態】
【００１７】
以下、図面を参照して本発明を実施するための形態を説明する。図１は、ファンモータに本発明を適用した本発明の一実施の形態の電気機器の斜視図である。図２は、後述する第１及び第２の開口部２１ｂ及び２１ｃを解放した状態のファンモータのモータ収納部分の部分平面図であり、図３は、第１及び第２の開口部２１ｂ及び２１ｃをキャップ部材７で閉塞している状態のファンモータのモータ収納部分の部分平面図であり、図４は、第１及び第２の開口部２１ｂ及び２１ｃをキャップ部材７で閉塞している状態のファンモータを側面から見た部分拡大図であり、図５は図３のＶ−Ｖ線断面図である。各図に示すように、本例のファンモータ（電気機器）は、モータ本体１（図５）と該モータ本体１を支持または収納するケース３とケーブル５とキャップ部材７とを有している。図５に示すように、モータ本体１は、ケース３に設けられた後述するベアリングホルダ２５に固定されたステータ９と回路基板１１とを有している。なお、図５においては、ロータ及びファンの羽根を備えたインペラは省略されているが、モータ本体１は、図示しないロータ及びファンのインペラも含んでいる。ステータ９は、ステータコア１３とインシュレータ１５を介してステータコア１３に巻回された巻線部１７とを有している。巻線部１７の励磁巻線は、回路基板１１に接続されている。回路基板１１には、巻線に流す電流を制御する制御回路を構成する複数の電子部品が実装されている。回路基板１１の、基板面１９ｂにはケーブル５が半田付け接続される４つの電極１９ａを備えた半田付け部１９が形成されている。
【００１８】
ケーブル５は、図２に示すように、４本のリード線５ａが束になって構成されている。４本のリード線５ａの心線５ｂは、回路基板１１の半田付け部１９の４つの電極１９ａにそれぞれ半田付け接続されている。本例では、ケーブル５と回路基板１１とにより回路基板ユニット１２が構成されている。
【００１９】
ケース３は、アルミまたは絶縁樹脂からなり、対向壁部２１と、対向壁部２１と一体に設けられて回路基板１１の端面を囲む周壁部２３と、対向壁部２１と一体に設けられて周壁部２３と平行に延びる筒状のベアリングホルダ２５（図５）とを有している。対向壁部２１は、中央に貫通孔２１ａを有する円板形状を有しており、４本のリード線５ａが接続される電極１９ａが設けられた回路基板１１の一方の基板面と対向している。対向壁部２１の縁部には、回路基板１１の半田付け部１９にアクセス可能にするように、半田付け部１９を露出させる第１の開口部２１ｂが形成されている。第１の開口部２１ｂは、対向壁部２１を厚み方向に貫通し、外側方向に向かって開口している。モータの製造工程においては、第１の開口部２１ｂを通して４本のリード線５ａの心線が半田付け部１９の電極１９ａに半田付け接続される。
【００２０】
周壁部２３は、周壁本体２２と該周壁本体２２と一体に設けられて周壁本体２２から外側に延びる延伸部２７を備えている。図４に示すように、延伸部２７は、周壁部側圧縮壁部２９とこの周壁部側圧縮壁部２９の周壁本体２２と隣接する両端部から対向壁部２１と連続する位置まで延びる一対の延伸壁３１とを備えている。この場合、第２の開口部２１ｃは、周壁部側圧縮壁部２９と一対の延伸壁３１とにより囲まれて形成されている。
【００２１】
一対の延伸壁３１には、周壁部側圧縮壁部２９とは反対側に位置し且つ周壁本体２２から外側に離れる外側方向に延びる突起部３１ａがそれぞれ一体に形成されている。そして外側方向に位置する延伸壁３１の第１の端面部分３１ｃと該第１の端面部分３１ｃと連続する突起部３１ａの第２の端面部分３１ｄとが、それぞれ軸部３５の外面と接触して軸部３５を支持する軸受け部３１ｅを構成している。
【００２２】
図５に示すように、周壁部側圧縮壁部２９は、ケース３の周壁本体２２から外側に離れる方向に延び且つキャップ部材７に向かうように湾曲した形状を有している。図４に示すように、周壁部側圧縮壁部２９は、ケーブル５が延び出る方向の端部（周壁本体２２の径方向外側の端部）に、立ち上がり部分２９ａを有している。立ち上がり部分２９ａのキャップ部材７と対向する端面２９ｂには、ケーブル５の外面に沿う湾曲面２９ｃを含む中央端面部と、この中央端面部の両側に位置する一対の平面２９ｄとを有している。また周壁部側圧縮壁部２９は、端面２９ｂに連続して端面２９ｂと直交する方向に延びる第１の内壁面２９ｅと、第１の内壁面２９ｅに連続して傾斜する第２の内壁面２９ｆと、第３の内壁面２９ｆに連続して端面２９ｂと平行に延びる第４の内壁面２９ｇとを有している。
【００２３】
図４に示すように、第１の開口部２１ｂと連続する第２の開口部２１ｃは、一対の延伸壁３１の間に形成されている。そして図１に示すように、一対の延伸壁３１の間には、キャップ部材７の一部が嵌合されている。
【００２４】
キャップ部材７は絶縁樹脂からなり、図６に示すように、キャップ本体３３と一対の軸部３５とフック部材３７と一対の突出部３９と第１の一対の起立壁部４１と第２の一対の起立壁部４３とキャップ側圧縮壁部４５とを一体に有している。キャップ本体３３は、第１の開口部２１ｂ及び第２の開口部２１ｃを開閉できるように、順に連続して環状に並ぶ第１乃至第４の端面３３ａ〜３３ｄを有する板状の矩形形状を有している。一対の軸部３５は、短い円柱形状を有しており、キャップ本体３３の第１及び第３の端面３３ａ，３３ｃの第２の端面３３ｂ寄りの端部からそれぞれ相反する方向に突出している。
【００２５】
フック部材３７は、キャップ本体３３の第４の端面３３ｄの中央部に一体に設けられキャップ本体３３に接続された基部３７ａと、キャップ部材７が第１及び第２の開口部２１ｂ，２１ｃに嵌合された状態でキャップ本体３３から半田付け部１９側に突出する突出片部３７ｂと、突出片部３７ｂの先端部に形成された係止部３７ｃとを有している。図３に示すように、キャップ部材７が第１及び第２の開口部２１ｂ，２１ｃに嵌合された状態において、基部３７ａとケース３の対向壁部２１との間には、隙間部３３ｅが形成される。また、隙間部３３ｅに連続する基部３７ａの両側部には、一対のスリット３３ｆが形成されている。このため、基部３７ａは、突出片部３７ｂ及び係止部３７ｃをキャップ本体３３に対して傾くことを許容するバネ性を有している。図５に示すように、基部３７ａのバネ性により、係止部３７ｃは、ケース３の対向壁部２１に形成された被係止部２１ｄに弾発的に係止する。被係止部２１ｄは、対向壁部２１の第１の開口部２１ｂを囲む縁部に形成されて、第１の開口部２１ｂ及び半田付け部１９側に突出している。被係止部２１ｄは、半田付け部１９と対向する部分に被係止面２１ｅを有している。フック部材３７の係止部３７ｃは、キャップ部材７が第１及び第２の開口部２１ｂ，２１ｃに嵌合されたときに、被係止部２１ｄの被係止面２１ｅに当接する係止面３７ｄを有している。
【００２６】
一対の突出部３９は、図５及び図６に示すように、キャップ部材７が第１及び第２の開口部２１ｂ，２１ｃに嵌合された状態において、キャップ本体３３から周壁部側圧縮壁部２９側に突出している。一対の突出部３９は、キャップ本体３３に第２開口部２１ｃ側に向かう方向に作用する外力が加わったときに、その側面が周壁部側圧縮壁部２９の立ち上がり部２９ａの第１の内壁面２９ｅに当たって、キャップ部材７が第１及び第２の開口部２１ｂ，２１ｃから脱落するのを防止するストッパとして機能する。
【００２７】
第１の一対の起立壁部４１は、図４及び図６に示すように、キャップ本体３３の端部に形成されており、キャップ部材７が第１及び第２の開口部２１ｂ，２１ｃに嵌合された状態において、周壁部側圧縮壁部２９側に突出している。第１の一対の起立壁部４１には、ケーブル５の外周面と接触する対向面４１ａと、対向面４１ａの両側にあってキャップ本体３３と平行に延びる一対の面４１ｂとを備えている。キャップ部材７が第１及び第２の開口部２１ｂ，２１ｃに嵌合された状態において、ケーブル５は、第１の一対の起立壁部４１の間から外部に延び出る。
【００２８】
第２の一対の起立壁部４３は、図６に示すように、周壁部側圧縮壁部２９と対向する部分に、ケーブル５に周方向に接触する湾曲面４３ａをそれぞれ有している。
【００２９】
キャップ側圧縮壁部４５は、図５及び図６に示すように、キャップ部材７が第１及び第２の開口部２１ｂ，２１ｃに嵌合された状態において、周壁部側圧縮壁部２９及び回路基板１１の一部に対向している。キャップ側圧縮壁部４５の周壁部側圧縮壁部２９と対向する部分は、ケーブル５が延び出る方向に延びる円弧状の湾曲面からなる第１の内壁面４５ａと、第１の内壁面４５ａに連続して回路基板１１側に傾斜する第２の内壁面４５ｂと、第２の内壁面４５ｂに連続して第１の内壁面４５ａと平行に延びる第３の内壁面４５ｃとを有している。このため、キャップ部材７が第１及び第２の開口部２１ｂ，２１ｃに嵌合されたとき、ケーブル５は、周壁部側圧縮壁部２９の立ち上がり部分２９ａに形成された湾曲面２９ｃとキャップ側圧縮壁部４５の第１の内壁面４５ａとの間、周壁部側圧縮壁部２９の第３の内壁面２９ｆとキャップ側圧縮壁部４５の第２の内壁面４５ｂとの間、周壁部側圧縮壁部２９の第４の内壁面２９ｇとキャップ側圧縮壁部４５の第３の内壁面４５ｃとの間に挟持され、クランク状に曲げた状態に変形される。これにより、ケーブル５には、クランク状変形部５ｄが作られ、周壁部側圧縮壁部２９とキャップ側圧縮壁部４５とによりクランク状変形部５ｄは挟まれる。また、周壁部側圧縮壁部２９の湾曲面２９ｃとキャップ側圧縮壁部４５の第１の内壁面４５ａとにより、ケーブル５が圧縮される第１の圧縮構造部が形成され、周壁部側圧縮壁部２９の第４の壁面２９ｇとキャップ側圧縮壁部４５の第３の内壁面４５ｃとによりケーブル５が圧縮される第２の圧縮構造部が形成されている。前述した第１の一対の起立壁部４１は、第１の圧縮構造部（２９ｃ，４５ａ）に隣接してケーブル５を挟んでおり、第２の一対の起立壁部４３は、第２の圧縮構造部（２９ｇ，４５ｃ）に隣接してケーブル５を挟んでいる。
【００３０】
次にケーブル５及びキャップ部材７をモータに取り付ける態様について説明する。まず、図７に示すように、ケーブル５を周壁部側圧縮壁部２９の湾曲面２９ｃ上に載置した状態で、ケーブル５の４本のリード線５ａの心線５ｂを回路基板１１の半田付け部１９の４つの電極１９ａにそれぞれ半田付け接続する。そして、キャップ部材７を延伸部２７に接近させて（矢印Ａ２）、キャップ部材７の一対の軸部３５を一対の延伸壁３１の第１の端面部分３１ｃ及び一対の突出部３１ａの第２の端面部分３１ｄに接触させて、一対の軸受け部３１ｅに一対の軸３５を支持する。この状態では、ケーブル５の弾力性により、キャップ本体３３が押し上げられて、一対の軸部３５は一対の突出部３１ａの第２の端面部分３１ｄに押し付けられる。次に一対の軸部３５を回転させて（図１の矢印Ａ１）第１の開口部２１ｂ及び第２の開口部２１ｃにキャップ本体３３を嵌合する。これによって、ケーブル５が延び出る第２の開口部２１ｃを第１の一対の起立壁部４１で塞ぐ。フック部材３７とケース３の被係止部２１ｄとが係合すると、周壁部側圧縮壁部２９とキャップ側圧縮壁部４５とによりケーブル５がクランク状に変形されて両者の間に挟まれる。この状態で、周壁部側圧縮壁部２９の湾曲面２９ｃとキャップ本体３３のキャップ側圧縮壁部４５の第１の内壁面４５ａとの間及び、周壁部側圧縮壁部２９の第４の内壁面２９ｇとキャップ本体３３の第３の内壁面４５ｃとの間に挟まれたケーブル５の部分の弾性力により、一対の軸部３５は一対の突出部３１ａの第２の端面部３１ｄに押し付けられる。また、周壁部側圧縮壁部２９の第２の内壁面２９ｆとキャップ本体３３の第２の内壁面４５ｂとの間に挟まれたケーブル５の部分の弾性力により、一対の軸部３５は一対の延伸壁３１の第１の端面部３１ｃに押し付けられる。また前述のように、キャップ本体３３に第２開口部２１ｃ側に向かう方向に作用する外力が加わったときには、一対の突出部３９の側面が周壁部側圧縮壁部２９の立ち上がり部２９ａの第１の内壁面２９ｅに当たって、キャップ部材７が第１及び第２の開口部２１ｂ，２１ｃから脱落するのを防止する。
【００３１】
本例のモータによれば、キャップ部材７が第１及び第２の開口部２１ｂ，２１ｃに嵌合されたときに、ケーブル５がクランク状に曲げられてクランク状変形部５ｄが作られ、周壁部側圧縮壁部２９とキャップ側圧縮壁部４５とによりクランク状変形部５ｄが挟まれるので、ケーブル５は周壁部側圧縮壁部２９とキャップ側圧縮壁部４５との間にしっかりと固定される。そのため、ケーブル５に外部から力が加わっても４本のリード線５ａが半田付け部１９から脱落するのを防ぐことができる。
【００３２】
上記は、ファンモータに本発明を適用した例を示したが、ファンを持たない通常のモータやモータ以外の電気機器においても本発明を適用できるのは勿論である。
【００３３】
図８は、キャップ部材７′の変形例を示しており、図９は、図８のキャップ部材７′を外す際に作業を説明するために用いる図である。図８のキャップ部材７′は、キャップ部材７′が第１及び第２の開口部２１ｂ及び２１ｃに嵌合された状態で、外部からケース３の内部に押し下げる方向の力が加えられると、図８には図示しない被係止部２１ｄとの係合が解除される構造のフック部材３７′を有している。フック部材３７′の形状寸法（特に幅寸法Ｗ）は、先端部の幅寸法が８ｍｍ以下のマイナスドライバＤの先端部で押し下げることができるように定められている。このようにすると、意図的にマイナスドライバＤでフック部材３７′を押し下げることをしない限り、フック部材３７′が意図せずに被係合部から外れることを有効に防止できる。本実施の形態では、フック部材３７′の係止面２７′ｄを押し下げて係合状態を解除し、さらにフック部材３７′をケーブル５が延び出る方向に押すと、一対の軸部３５′が一対の突起部３１ａの部分に設けた軸受け部３１ｅから外れる。その結果、キャップ部材７′をケース３から外すことができる。キャップ部材７′をこのような構造にすると、信頼性と安全性とを高めることができる。
【産業上の利用可能性】
【００３４】
本発明によれば、キャップ部材が第１及び第２の開口部に嵌合されたときに、ケーブルがクランク状に曲げられてクランク状変形部が作られ、周壁部とキャップ部材とによりクランク状変形部が挟まれるので、ケーブルは周壁部とキャップ部材との間にしっかりと固定される。クランク状変形部は、抜け止め部を構成しており、ケーブルに引き抜き力が加わった場合でも、半田付け部に引き抜き力が加わって半田付け不良が発生するのを有効に防止することができる。
【符号の説明】
【００３５】
３  ケース
５  ケーブル
５ａ  リード線
５ｄ  クランク状変形部
７  キャップ部材
１１  回路基板
１９  半田付け部
２１  対向壁部
２１ｂ  第１の開口部
２１ｃ  第２の開口部
２１ｄ  被係止部
２３  周壁部
２９  周壁部側圧縮壁部
３１  一対の延伸壁
３１ｃ  第１の面
３１ｄ  第２の面
３１ｅ  一対の段部（一対の軸受け部）
３３  キャップ本体
３５  一対の軸部
３７  フック部材
３９  一対の突出部
４１  第１の一対の起立壁部
４３  第２の一対の起立壁部
４５  キャップ側圧縮壁部
【図１】
2010226943.tif 000003
【図２】
2010226943.tif 000004
【図３】
2010226943.tif 000005
【図４】
2010226943.tif 000006
【図５】
2010226943.tif 000007
【図６】
2010226943.tif 000008
【図７】
2010226943.tif 000009
【図８】
2010226943.tif 000010
【図９】
2010226943.tif 000011